(57)【特許請求の範囲】
【請求項１】
上部デッキボードと下部デッキボードとを中空構造の四隅支柱部、その中間に設けた中間支柱部及び中央支柱部で連結し、前記各支柱部と上部デッキボード及び下部デッキボードで囲まれた空隙をフォーク差込口とし、デッキボードにおける各支柱部との連結部は、連結する各支柱部の支柱壁と同一形状に形成されている四方差しパレットにおいて、少なくとも下部デッキボードは、フォーク差込口に面する部分では平滑な上板の下面に補強リブを設けてなり、四隅支柱部、中間支柱部及び中央支柱部と連結する連結部のそれぞれ各支柱部と対向する内側角部の先端部寄りに平面Ｌ字形補強リブを設けるとともに、前記連結部のうち、フォーク差込口側に肉盛りをして厚肉に形成し、連結部同士の間隔を実質上短くすることを特徴とするプラスチック製パレット。
【請求項２】
前記連結部における肉盛りは、フォーク差し込み方向及び連結部の全高さに亘って形成することを特徴とする請求項１記載のプラスチック製パレット。
【発明の詳細な説明】
【０００１】
【発明の属する技術分野】
この発明は荷物の保管、運搬に使用するフォークリフト用のプラスチック製パレットに係り、詳しくは、支柱部を中空構造とした四方差し用のプラスチック製パレットに関する。
【０００２】
【従来の技術】
近年、荷物の保管、運搬に使用されるフォークリフト用パレットでは、プラスチック製パレットが多く使用されている。図３および図４は四方差しプラスチック製パレット１を示し、上部デッキボード３と下部デッキボード５とを四隅の支柱部７、その中間に設けた中間支柱部９及び中央部に設けた中央支柱部（図示しない）で連結し、前記支柱部と上下デッキボードで囲まれた空隙をフォーク差込口１１とした四方差しパレットである。
【０００３】
上部デッキボード３は、支柱部との連結部３ａとフォーク差込口１１の上方においても、上面が平滑な上板の下面に縦横に補強リブを設けてなるが、、下部デッキボード５は、フォーク差込口１１に面する部分では平滑な上板の下面に補強リブを設け、支柱部との連結部５ａでは下板の上面に補強リブを設けてなる。そして、上部デッキボード３の連結部３ａと下部デッキボード５の連結部５ａは、連結する各支柱部の支柱壁と同一形状、同一肉厚に形成されている。従って、上部デッキボード３の連結部３ａと各支柱部と下部デッキボード５の連結部５ａは、全体として閉じた中空構造を形成している。
【０００４】
そして、これらのパレット１は両端部に台座１２を置いて支持する、いわゆるラック積みやチェーコンベアで搬送される場合がある。前記ラック積みにおいて、パレット１に荷物を載置して矢印の方向に荷重がかかると、図３に示すように、上下デッキボード３、５が一点鎖線のように撓み、上下デッキボードの連結部３ａ、５ａのフォーク差込口１１側の部分ではジグザグ状に変形する。また、チェーコンベアで搬送される場合には、図４に示すように、チェーン１３に支持される下部デッキボード５に荷重が集中し、フォーク差込口１１側に変形する。
【０００５】
【発明が解決しようとする課題】
即ち、ラック積みの場合には、パレット１に荷重がかかるとパレット１全体としては、図３に一点鎖線で示すように弓状に変形するが、この変形量はフォーク差込口１１側の連結部３ａ、５ａが変形することによって一層大きくなる。上下デッキボード３、５が下方に撓むとデッキボードが連結している連結部３ａ、５ａのフォーク差込口側では、連結部３ａの下端部分はフォーク差込口側とは反対方向に支柱部７の内方に変形し、下部デッキボード５の連結部５ａの上端部分は支柱部７の外方（フォーク差込口側）に変形することになる。このように、連結部のフォーク差込口側が支柱壁とともにジグザグ状に変形することによってデッキボードの撓み量は一層大きくなる。
【０００６】
また、チェーンコンベアによって搬送する場合のように、下部デッキボードの下面を支持すると、フォーク差込口１１側に湾曲して安定した状態で支持できない。
【０００７】
このように、デッキボードが撓むと荷物を安定した状態で載置することができないばかりでなく、荷崩れのおそれがある。また、撓み状態を長時間保持しておくと、パレットに永久変形が生じることになる。これらの変形を防止するためには、デッキボードの連結部３ａ、５ａと支柱部７及び支柱部９の肉厚を厚くするか、上部デッキボード３及び下部デッキボード５の下面に設けられた補強リブ、特に各支柱部のコーナー部を連結する補強リブの肉厚を他の補強リブよりも大きくすればよいが、肉厚を厚くすると材料の使用量が増し成形時間も長くなりコストアップとなる。また、成形後の収縮が他の部分よりも大きくなって、パレット全体に大きな反りが発生するという問題がある。
【０００８】
【発明の目的】
この発明は上記課題を解決すべくなされたもので、支柱壁の肉厚を厚くすることなくデッキボード、特に下部デッキボードの変形量を小さくしたプラスチック製パレットを提供することを目的とする。
【０００９】
【課題を解決するための手段】
上記目的を達成するために、この発明に係るプラスチック製パレットは、上部デッキボードと下部デッキボードとを中空構造の四隅支柱部、その中間に設けた中間支柱部及び中央支柱部で連結し、前記各支柱部と上部デッキボード及び下部デッキボードで囲まれた空隙をフォーク差込口とし、デッキボードにおける各支柱部との連結部は、連結する各支柱部の支柱壁と同一形状に形成されている四方差しパレットにおいて、少なくとも下部デッキボードは、フォーク差込口に面する部分では平滑な上板の下面に補強リブを設けてなり、四隅支柱部、中間支柱部及び中央支柱部と連結する連結部のそれぞれ各支柱部と対向する内側角部の先端部寄りに平面Ｌ字形補強リブを設けるとともに、前記連結部のうち、フォーク差込口側に肉盛りをして厚肉に形成し、連結部同士の間隔を実質上短くすることを特徴とする。前記連結部における肉盛りは、フォーク差し込み方向及び連結部の全高さに亘って形成することが望ましい。
【００１０】
【作用】
従って、この発明にあっては、荷重により応力を受ける部分、即ち、デッキボードの各支柱部と連結する連結部のうち、フォーク差込口側に肉盛りをして厚肉に形成したから、連結部の間隔が実質上短くなる。従って、荷重を受けた場合にも、デッキボードは湾曲し難くなり、パレット全体としての曲げ強度が増大する。
【００１１】
【発明の実施の形態】
以下に、この発明の実施の形態を図面に基づいて詳細に説明する。パレット２０は上部デッキボード２１と下部デッキボード２３を四隅の支柱部２５、その中間に設けた中間支柱部２７及び中央支柱部２９で連結し、前記上下デッキボードと支柱部２５、２７で囲まれた空隙をフォーク差込口３０とした四方差しパレットである。
【００１２】
上部デッキボード２１は、支柱部との連結部２１ａとフォーク差込口３０の上方においても、表面が平滑な上板２１ｂの下面に縦横に補強リブ２１ｃを設けてなり、四隅の支柱部２５、中間支柱部２７及び中央支柱部２９における連結部２１ａのそれぞれ対向する内側角部の先端部寄りにＬ字形補強リブ２１ｄを設けてなる。また、下部デッキボード２３は、フォーク差込口３０に面する部分では平滑な上板２３ａの下面に補強リブ２３ｂを設け、支柱部との連結部２３ｃでは下板２３ｄの上面に補強リブ２３ｅを設けてなり、四隅の支柱部２５、中間支柱部２７及び中央支柱部２９における連結部２１ｃのそれぞれ対向する内側角部の先端部寄りにＬ字形補強リブ２３ｆを設けてなる。そして、上部デッキボード２１の連結部２１ａと下部デッキボード２３の連結部２３ｃは、連結する各支柱部の支柱壁と同一形状、同一肉厚に形成され、連結する各支柱部とともに全体として閉じた中空構造を形成している。
【００１３】
次いで、この発明の構成を下部デッキボード２３の連結部２３ｃについて説明する。各支柱部２５、２７及び２９には、下部デッキボード２３の連結部２３ｃ、即ち、フォーク差し込み方向における各連結部の連結幅Ｌと、下部デッキボードの連結部高さＨの範囲において、各支柱部２５、２７及び２９における連結部２３ｃのフォーク差込口３０側を厚肉に形成した。
【００１４】
図１に示すように、下部デッキボードの連結部２３ｃの肉厚をＴとすると、前記連結部２３ｃにおいて、フォーク差込口側の肉厚を下部デッキボードの連結部高さＨに亘って、フォーク差込口３０側に厚さＴ１だけ肉盛りして肉厚に形成したものである。従って、下部デッキボード２３の各連結部２３ｃ間の実質長さをＴ１＋Ｔ１だけ短く形成したものである。
【００１５】
デッキボードの連結部２３ｃうち、最も応力を受けるフォーク差込口側の部分を肉厚に形成することによって、連結部２３ｃ間の寸法が実質的に短くなるから、撓み難くなり、荷重を受けた場合のデッキボードの変形を防止し、パレット全体の曲げ強度を増大することができる。しかも、肉厚に形成する部分は、デッキボードの下面になるから、フォークの差し込みには何ら影響しない。
【００１６】
尚、上記実施形態では、下部デッキボード２３側において説明したが、同様に、上部デッキボード２１の連結部２１ａにおいても、上部デッキボードの連結部の高さに亘って、フォーク差込口３０側の部分を肉盛りして厚肉に形成してもよい。
【００１７】
【発明の効果】
以上説明したように、この発明では、デッキボードの連結部において、フォーク差込口側に肉盛りをして他の部分よりも肉厚に形成し、連結部間の長さを実質上短くしたから、デッキボードの曲げ強度が増大し、撓み量を小さくすることができる。また、デッキボードの連結部のうちフォーク差込口側のみを肉厚に形成するものであるから、成型時間が長くなることもなく、さらに、成型後の収縮や反りが生じることもない。
【図面の簡単な説明】
【図１】パレットの右半分の支柱部における縦断面図である。
【図２】図１のＡ−Ａにおける下部デッキボードの縦断面図である。
【図３】ラック積みにおけるパレットの変形を示す説明図である。
【図４】チェーンコンベアにおける下部デッキボードの変形を示す説明図である。
【符号の説明】
２０：パレット
２１：上部デッキボード
２１ａ：上部デッキボードの連結部
２１ｂ：上板
２１ｃ：補強リブ
２３：下部デッキボード
２３ａ：上板
２３ｂ：補強リブ
２３ｃ：下部デッキボードの連結部
２３ｄ：下板
２３ｅ：補強リブ
２５：四隅の支柱部
２７：中間支柱部
２９：中央支柱部
３０：フォーク差込口
【図１】
0003943789.tif 000002
【図２】
0003943789.tif 000003
【図３】
0003943789.tif 000004
【図４】
0003943789.tif 000005